(57)【要約】【課題】本発明では、爪部材をさらに根元から大きく傾斜させることが可能で、より効率的な耕耘作用を得ることができる耕耘爪取付装置を提供することを目的とする。【解決手段】ロータリ軸１には、所定の厚さを有する円板状の基部３がロータリ軸１の回転中心軸に対して所定角度傾斜して固定されている。基部３には、複数の位置決め孔９が穿設されており、爪部材５には２つの取付孔７が穿設されている。取付孔７は位置決め孔９に位置合せされて固定部材１０により固定される。一方の取付孔７は基部３の一方の面側に配置され、他方の取付孔７は基部３の他方の面側に配置されて固定される。【選択図】図１
2005176676.tif 000002
【特許請求の範囲】
【請求項１】
回転駆動軸に固定された基部と、該基部に着脱可能に固定された爪部材とを備えた耕耘爪取付装置であって、前記基部の少なくとも前記爪部材の取付面は、前記回転駆動軸の回転中心軸に直交する平面に対して所定角度傾斜していることを特徴とする耕耘爪取付装置。
【請求項２】
前記基部は、平板状に形成されているとともに全体が所定角度傾斜して前記回転駆動軸に固定されていることを特徴とする請求項１に記載の耕耘爪取付装置。
【請求項３】
前記基部は、前記回転駆動軸に嵌合して前記回転中心軸方向にのみ摺動可能な取付管体を備えており、前記取付管体が前記回転駆動軸の所定位置に固定されることを特徴とする請求項１又は２に記載の耕耘爪取付装置。
【請求項４】
前記基部は、前記回転駆動軸に対して所定角度ずれた複数の位置に前記爪部材を固定可能であることを特徴とする請求項１から３のいずれかに記載の耕耘爪取付装置。
【請求項５】
前記基部は、周辺部分に穿設された複数の位置決め孔を有し、前記爪部材は、所定の間隔を置いて穿設された２つの取付孔を有し、前記取付孔を前記位置決め孔に位置合せした状態で前記位置決め孔及び前記取付孔に貫通して前記爪部材を前記基部に固定する固定部材を備えることを特徴とする請求項１から４のいずれかに記載の耕耘爪取付装置。
【請求項６】
前記爪部材は、一方の取付孔を前記基部の一方の面側に配置し他方の取付孔を前記基部の他方の面に配置して前記基部に装着されていることを特徴とする請求項５に記載の耕耘爪取付装置。
【請求項７】
２つの前記爪部材が前記回転駆動軸の中心に対して対称となる位置にそれぞれ前記基部に固定されていることを特徴とする請求項１から６のいずれかに記載の耕耘爪取付装置。
【請求項８】
複数の前記基部を前記回転駆動軸に所定間隔を置いて固定することを特徴とする請求項１から７のいずれかに記載の耕耘爪取付装置。
【請求項９】
各基部に固定された前記爪部材が前記回転駆動軸の軸方向からみて所定角度ずつずれて配置されていることを特徴とする請求項８に記載の耕耘爪取付装置。
【発明の詳細な説明】
【技術分野】
【０００１】
本発明は、耕耘装置、特にダウンカットロータリ及びアップカットロータリを適宜切換可能な正逆転ロータリ耕耘装置に適用可能な耕耘爪取付装置に関する。
【背景技術】
【０００２】
従来より、ロータリ耕耘装置では、耕耘爪が耕土に切り込むようにして切削する際に、耕耘爪に角度を付けることにより、耕土を起こす作用を得ている。また、耕土の状況、使用目的により、耕耘爪を交換する為、耕耘爪取付装置から耕耘爪を脱着可能とし、その間隔を自由に設定できるものが考えられている。例えば、特許文献１では、中心部に軸挿通孔があけられた円盤状の爪ホルダーの周囲に、交互に反対側へ屈曲された耕耘爪が放射状に取り付けられた花形ローターは、軸挿通孔の一側に取り付けられた取付ボスによって、耕耘機の走行車輪軸に固定される点が記載されている。また、特許文献２には、スクリューロータを位置変更自在に固定するため、軸方向所定間隔にピン孔を穿設して、ピン孔とローターの筒状ボス部のピン孔を一致せしめ、ピンを挿支しており、耕耘軸はその外周面を多角形となし、これに筒状ボス部が適合するようにした点が記載されている。また、特許文献３には、延長爪軸に穿設したピン孔に、肥料攪拌爪、螺旋爪、土切爪のボス部に穿設したピン孔を係止ピンを使って、それぞれ相互間隔を調整自在に装着されることが記載されている。また、特許文献４には、基部に穿設された基孔及び爪部に穿設された取付孔に、ボルト及びナットからなる固定部材を差込んで、基部に形成された切欠部を通るように爪部を配設することで爪部を傾斜させて基部に固定し、基部が断面六角形状のロータリ軸に間隔保持用の円筒体により、所定間隔を置いて配置される点が記載されている。
【特許文献１】実公昭４６−１１８４１号公報
【特許文献２】実開昭５２−１０４５０２号公報
【特許文献３】実開昭６０−４６８０３号公報
【特許文献４】特許第３４５１０８６号公報
【発明の開示】
【発明が解決しようとする課題】
【０００３】
上述の特許文献１から３に記載の耕耘爪取付装置では、爪部材やスクリューの取付形状からみて耕土の反転等耕耘作用が効率的ではない。こうした耕耘作用を効率よく行うために、特許文献４では、耕耘爪取付装置の切欠部を通るように爪部を配設することで爪部を根元から傾斜させて耕耘爪取付装置に固定することで、耕土を反転する作用を大きくすることが可能となっている。しかし、特許文献４に記載のものでは、耕耘爪部材のみを傾斜させているので、耕耘爪の傾斜の程度には限度がある。
【０００４】
そこで、本発明では、爪部材をさらに根元から大きく傾斜させることが可能で、より効率的な耕耘作用を得ることができる耕耘爪取付装置を提供することを目的とする。
【課題を解決するための手段】
【０００５】
本発明に係る耕耘爪取付装置は、回転駆動軸に固定された基部と、該基部に着脱可能に固定された爪部材とを備えた耕耘爪取付装置であって、前記基部の少なくとも前記爪部材の取付面は、前記回転駆動軸の回転中心軸に直交する平面に対して所定角度傾斜していることを特徴とする。さらに、前記基部は、平板状に形成されているとともに全体が所定角度傾斜して前記回転駆動軸に固定されていることを特徴とする。さらに、前記基部は、前記回転駆動軸に嵌合して前記回転中心軸方向にのみ摺動可能な取付管体を備えており、前記取付管体が前記回転駆動軸の所定位置に固定されることを特徴とする。さらに、前記基部は、前記回転駆動軸に対して所定角度ずれた複数の位置に前記爪部材を固定可能であることを特徴とする。さらに、前記基部は、周辺部分に穿設された複数の位置決め孔を有し、前記爪部材は、所定の間隔を置いて穿設された２つの取付孔を有し、前記取付孔を前記位置決め孔に位置合せした状態で前記位置決め孔及び前記取付孔に貫通して前記爪部材を前記基部に固定する固定部材を備えることを特徴とする。さらに、前記爪部材は、一方の取付孔を前記基部の一方の面側に配置し他方の取付孔を前記基部の他方の面に配置して前記基部に装着されていることを特徴とする。さらに、２つの前記爪部材が前記回転駆動軸の中心に対して対称となる位置にそれぞれ前記基部に固定されていることを特徴とする。さらに、複数の前記基部を前記回転駆動軸に所定間隔を置いて固定することを特徴とする。さらに、各基部に固定された前記爪部材が前記回転駆動軸の軸方向からみて所定角度ずつずれて配置されていることを特徴とする。
【発明の効果】
【０００６】
本発明は、上記のような構成を有することで、回転駆動軸の回転中心軸に直交する平面に対して基部の取付面が所定角度傾斜した状態となるので、基部に固定された爪部材を回転方向に対して根元から大きく傾斜した状態とすることができ効率よく耕土を反転することが可能となる。そして、基部自体の傾斜角度は、爪部材の傾斜角度よりも大きく変化させることができ、特許文献４に記載のものよりも爪部材の傾斜角度の設定に関して自由度が大きくなる。また、爪部材自体も傾斜角度を変化させることができることから、耕土の状態に応じて適宜傾斜角度を調整することも可能となる。
【０００７】
さらに、基部を平板状に形成して全体を回転駆動軸に対して傾斜するようにすれば、簡単な構成で傾斜角度の設定が容易に行うことができるようになる。また、基部に、回転駆動軸に嵌合して回転中心軸方向にのみ摺動可能な取付管体を備えることで、基部の装着位置を適宜設定することができるようになる。また、基部に固定する爪部材の位置を回転駆動軸に対して所定角度ずれた複数の位置に設定することで、複数の爪部材を固定したり、基部によってずらした位置に爪部材を固定したりすることができる。
【０００８】
さらに、基部には周辺部分に複数の位置決め孔を穿設し、爪部材には所定の間隔を置いて２つの取付孔を穿設し、取付孔を位置決め孔に位置合せした状態で位置決め孔及び取付孔に貫通して爪部材を基部に固定する固定部材を備えることで、爪部材を基部に容易に着脱することができ、爪部材の傾斜角度の設定変更等の作業を効率よく行うことができる。また、爪部材を一方の取付孔を基部の一方の面側に配置し他方の取付孔を基部の他方の面に配置して基部に装着することで、爪部材自体を基部に対して傾斜した状態で固定することができ、爪部材を回転駆動軸に対してさらに傾斜した状態とすることが可能となる。
【０００９】
また、２つの爪部を回転駆動軸の中心に対して対称となる位置にそれぞれ基部に固定すれば、１回転中に２つの爪部が交互に耕土に圧入されて耕耘作業を効率化することが可能となる。
【００１０】
また、複数の前記基部を前記回転駆動軸に所定間隔を置いて固定することで、複数の耕耘爪部材を同時にロータリ軸により回転させて耕耘作業を行うことができ、高速化が可能となる。また、各基部に固定された各爪部材を回転駆動軸の軸方向からみて所定角度ずつずれて配置することで、耕耘爪部材が順次耕土に圧入されていき、耕耘作業を通じて全体にかかる負荷を小さくすることができる。
【発明を実施するための最良の形態】
【００１１】
以下、本発明に係る耕耘爪取付装置に関する実施形態について詳しく説明する。なお、以下に説明する実施形態は、本発明を実施するにあたって好ましい具体例であるから、技術的に種々の限定がなされているが、本発明は、以下の説明において特に発明を限定する旨明記されていない限り、これらの形態に限定されるものではない。
【００１２】
図１は、本発明に係る実施形態の斜視図である。水平方向に延設されているロータリ軸１は、公知の正逆転ロータリ装置に回転可能に取り付けられており、トラクタ等の駆動源から駆動伝達機構を介して回転される。そして、ロータリ軸１の回転中心軸と直交する方向に正逆ロータリ装置が進行していく。ロータリ軸１には、耕耘爪取付装置２が固定されており、耕耘爪取付装置２は基部３及び２つの爪部材５を備えている。
【００１３】
図２は、耕耘爪取付装置２に関してロータリ軸１の回転中心軸方向から見た図（図２（ａ）及びロータリ軸１の回転中心軸と直交する方向から見た図（図２（ｂ））である。また、図３は、基部３と爪部材５とを分離した状態を示している。
【００１４】
基部３は所定の厚さ（例えば１ｃｍ程度）を有する金属製の円板で、その中心部にはロータリ軸１を挿通する挿通孔４が穿設されている。挿通孔４は、基部３の表面に沿う平面Ｑに対して直交する直線から角度θだけ傾斜した方向に穿設されているので、挿通孔４にロータリ軸１を貫通して固定すると、ロータリ軸１の回転中心軸に直交する平面Ｐに対して基部３は角度θだけ傾斜した状態で固定されるようになる。基部３をロータリ軸１に固定する方法としては、例えば、挿通孔４とロータリ軸１との接触部分を溶接により固定すればよい。基部３には、外周縁８に沿って、６つの円形の位置決め孔９が穿設されており、各位置決め孔９は、挿通孔４を中心とする円の円周上に位置しており、６０度ずつずらして配設されている。
【００１５】
爪部材５は、所定の厚さ（例えば５ｍｍ程度）の金属製の板状体から成形されており、基部３に取付けられる根元部分には、２つの位置決め孔９に固定される２つの取付孔７が穿設されている。また、根元部分には、２つの取付孔７の間に基部３の外周縁８を跨ぐようにするため湾曲形成された切欠部６が形成されている。そして、各取付孔７の外側から刃部が外方に膨らむように円弧状に形成されており、両者が交叉して爪部材５の先端となっている。両側の刃部の間には作用面１５が平面状に形成されており、爪部材５の先端部１６では、作用面１５に対して所定角度湾曲して形成されている。
【００１６】
そして、２つの爪部材５は、基部３の挿通孔４に関して対称となる位置に固定される。爪部材５を固定する場合には、爪部材５の各取付孔７を、基部３の位置決め孔９に位置合せして、ボルト及びナットからなる固定部材１０により固定する。爪部材５は、一方の取付孔７を基部３の一方の面側に配置し他方の取付孔７を基部３の他方の面に配置して位置決め孔９に位置合せして固定するようにしているので、基部３に対して爪部材５を傾斜した状態に固定することができ、ロータリ軸１の回転中心軸に対してより大きく傾斜した状態とすることができる（図２（ｂ）参照）。この例では、固定部材としてボルト及びナットを用いているが、ピンを用いて固定することも可能で、これ以外の固定部材を用いてもよい。また、固定が容易に行えるようにするために、取付孔の周囲を基部表面に沿って折り曲げ取付孔７及び位置決め孔９が密着するようにしてもよい。また、取付孔７及び位置決め孔９の間に座金を差し込んで固定することで、確実に固定するとともに座金の厚みにより爪部材５の取付角度を調整することもできる。
【００１７】
なお、爪部材５の固定方法に関しては、図４に示すような例も挙げられる。この例では、爪部材５の各取付孔７を基部３の同じ面側に配置して固定するようにしている。このように爪部材５を固定すれば、爪部材５は基部３と同一の傾斜状態とすることができ、爪部材５のロータリ軸１に対する傾斜角度を図２の場合に比べて小さく設定することができる。
【００１８】
このように、爪部材５をロータリ軸１の回転中心軸に対して大きく傾斜した状態とすることで、図２（ｂ）に示すように爪部材５の作用面１５及び先端部１６が平面Ｐに対して回転中心軸方向に向かって外方に延びるように設定されるため、耕土の反転がよくなり、耕耘動作を効率よく行うことができる。
【００１９】
図５は、耕耘爪取付装置２をロータリ軸１に固定する場合の別の例を示しており、耕耘爪取付装置２に関してロータリ軸１の回転中心軸方向から見た図（図５（ａ）及びロータリ軸１の回転中心軸と直交する方向から見た図（図５（ｂ））である。
【００２０】
ロータリ軸１の外周には、ロータリ軸１の回転中心軸に沿って複数の溝部１３が形成されており、各溝部１３はロータリ軸１の回転中心軸を中心として６０度ずつずらして形成されている。基部３の中心部には、円筒状の取付管体１１が基部３を貫通して固定されており、取付管体１１の中心軸は、基部３の表面に沿う平面に対して直交する直線から所定角度傾斜した方向に設定されている。また、取付管体１１の内周面には、ロータリ軸１の外周に形成された溝部１３に嵌合する嵌合凸部１４が形成されている。ロータリ軸１の端部から取付管体１１の一方の開口部を嵌合してロータリ軸１の軸方向にスライドさせて装着する。取付管体１１は、ロータリ軸１の軸方向には摺動自在であるが、ロータリ軸１の回転方向には回動できないように取り付けられる。そして、取付管体１１の両側には、所定の長さの位置決めパイプ１２が装着される。位置決めパイプ１２は、取付管体１１と同形の円筒状に形成されており、内周面には取り付け管体１１と同様に溝部１３に嵌合する嵌合凸部が形成されている。したがって、複数の基部３をロータリ軸１に固定する場合基部３の間の間隔に対応して位置決めパイプ１２の長さを決めておけば、基部３の間の間隔を安定した状態で保持することができる。
【００２１】
なお、図５において、爪部材５の基部３への取付方法は、図２に示した方法と同様となっている。
【００２２】
図６及び図７は、本発明に係る耕耘爪取付装置を複数個ロータリ軸１に取り付けた状態を示した図である。図６では、丸棒状のロータリ軸１に、図２に示す耕耘爪取付装置２を所定の間隔で配置し溶接により固定されている。爪部材５は、基部３に穿設されている位置決め孔９に、ロータリ軸１の一方の端部に配置された基部３から順次６０度ずつずらして固定されている。このように爪部材５をずらして固定することで、耕耘の際、爪部材５が順次耕土に圧入されるため、負荷を小さくすることができる。
【００２３】
図７は、図５で示したように溝部１３が形成されているロータリ軸１に図５に示す耕耘爪取付装置２を位置決めパイプ１２により所定の間隔を保持された状態で装着されている。耕耘爪取付装置２はロータリ軸１の軸方向に摺動自在であるため、位置決めパイプ１２の長さを調節することにより、各耕耘爪取付装置２の間隔を自由に設定できる。そして、ロータリ軸１の両端部に各耕耘爪取付装置２の取付管体１１と位置決め用パイプ１２が軸方向に移動しないように固定部材を取り付けることで、耕耘爪取付装置２を安定した状態で固定することができる。
【００２４】
また、ロータリ軸１から耕耘爪取付装置を容易に脱着することができるので、耕耘爪取付装置２の装着数も必要に応じて適宜設定することができる。また、基部３の傾斜角度が異なった耕耘爪取付装置２を装着することもでき、耕土の粗起し、溝堀り又は畝立て等作業内容によって適宜爪部材５の傾斜角度を設定することも可能である。また、図６及び図７に示すように複数の耕耘爪取付装置を装着した場合、爪部材の湾曲した先端部をロータリ軸１の中央部に向くように固定することで、土寄せ効果を持たせるようにすることができる。そして、爪部材５の基部３への取付位置を各基部３で順次ずらせた位置決め孔９に固定すれば、図７に示すように螺旋状に各爪部材５を配置することができる。この場合、各耕耘爪取付装置２の取付管体１１の内周面に形成した嵌合凸部１４をロータリ軸１の溝部１３に嵌合する際に各爪部材５がずれるように嵌合凸部１４及び溝部１３を組み合わせて嵌合するようにしてもよい。
【図面の簡単な説明】
【００２５】
【図１】本発明に係る実施形態に関する斜視図である。
【図２】図１の軸方向からみた図及び軸方向と直交する方向からみた図である。
【図３】基部と爪部材を分解した状態の図である。
【図４】図２において爪部材を別の方法で基部に固定した例を示す図である。
【図５】本発明に関する別の実施形態に関する軸方向からみた図及び軸方向と直交する方向からみた図である。
【図６】複数の耕耘爪取付装置をロータリ軸に固定した例を示す図である。
【図７】複数の耕耘爪取付装置をロータリ軸に固定した別の例を示す図である。
【符号の説明】
【００２６】
１    ロータリ軸
２    装置本体
３    基部
４    挿通孔
５    爪部材
６    切欠部
７    取付孔
８    外周縁
９    位置決め孔
10    固定部材
11    取付管体
12    位置決めパイプ
13    溝部
14    嵌合凸部
15    作用面
16    先端部
【図１】
2005176676.tif 000003
【図２】
2005176676.tif 000004
【図３】
2005176676.tif 000005
【図４】
2005176676.tif 000006
【図５】
2005176676.tif 000007
【図６】
2005176676.tif 000008
【図７】
2005176676.tif 000009